(57)【特許請求の範囲】
【請求項１】
下記の（１）〜（３）の工程を順次行なうことを特徴とする先端側に螺旋状の掘削刃を有する地中アンカの埋設方法。
（１）前記地中アンカを埋設しようとする位置に、先端に超硬チップを有する工具を用いて位置決め用穴をあける工程。
（２）あけられた位置決め用穴に小口径ダウンザホールハンマ等のハンマで前記地中アンカが埋設できる深さを有し、かつ、その地中アンカの螺旋状の掘削刃の外径よりも僅かに小さい内径の下穴をあける工程。
（３）あけられた下穴に前記地中アンカを穴掘建柱車等の回転機械を用いて回転しながら押圧して嵌入する工程。
【発明の詳細な説明】
【０００１】
【発明の属する技術分野】
本発明は、電柱の支線あるいは建築構造物等を地中において支持する地中アンカの埋設方法に関する。
【０００２】
【従来の技術】
本出願人は、先に、先端側に螺旋状の掘削刃を有する棒状の地中アンカを提案している（特許文献１〜５参照。）。図２（ａ）は、先の提案に係る地中アンカの正面図、同図（ｂ）は、その上面図である。地中アンカ１は、鋳鉄製からなり、全体形状が棒状を呈している。そして、その地中アンカ１の軸部１ａの埋設時地中進入方向先端側（図２（ａ）では下端部側）には、複数個（図示の例では４個）の螺旋状の掘削刃２ａ，２ｂ，２ｃ，２ｄが間欠的に軸部１ａと一体に設けられている。これらの掘削刃２ａ，２ｂ〜２ｄは、上方に行くほど、すなわち、掘削刃２ａよりも２ｂ、また、２ｂよりも２ｃの方が大径となるように構成されている。また、地中アンカ１の先端部分の軸部１ａは、周知のドリルと同様に、切込刃を有するドリル部３に形成されている。
【０００３】
地中アンカ１のドリル部３と反対側の上端側には、地中アンカ１の軸部１ａの径よりも少し大きな径を有するつば部４が設けられているとともに、そのつば部４の上端面には、四角柱からなる角柱部５に形成されている。この角柱部５は、穴掘建柱車等の回転機械の回転部（図示せず）に嵌合され、地中アンカ１をその回転部で回転しながら押下すると、地中アンカ１は、地中に埋設される。図２（ａ），（ｂ）中、６は、角柱部５に設けられた穴であり、図示しない支線を取付けるための取付部である。
【０００４】
上記提案に係る地中アンカは、地中アンカ１の軸部１ａに螺旋状の掘削刃２ａ，２ｂ〜２ｄ及び切込刃からなるドリル部３が形成されているので、地盤が硬くとも穴掘建柱車等のオーガ等の回転機械を用いて容易に掘削して埋設できる等の特長を有している。
【０００５】
【特許文献１】
特開２０００−１８５０号公報
【特許文献２】
特開２００１−５９２２１号公報
【特許文献３】
特開２００１−１８２０５８号公報
【特許文献４】
特開２００１−２７１３４６号公報
【特許文献５】
特開２００１−２７１３４５号公報
【０００６】
【発明が解決しようとする課題】
上記提案に係る地中アンカは、穴掘建柱車等の回転機械を用いて極めて簡単に地中アンカを埋設できるという特長を有している。しかしながら、地中アンカの埋設される地盤（地面）の性状は千差万別であり、特に、岩盤のような硬質の地盤の場合であっても容易に埋設できる地中アンカの出現が待たれていた。
【０００７】
また、本出願人は、岩盤のような硬質の地盤であっても容易に地中アンカを埋設できるように、地中アンカを埋設するための下穴（前穴）を地面にあけるための超硬チップを有する工具を特願２００２−１８４２０号で提案している。しかし、可能であれば、このような工具を用いずに、又は、用いたとしても簡単な下穴加工で足りる地中アンカの出現が待たれていた。さらに、地面が水平線に対して所定の角度を有している法面（斜面）であっても、容易に地中アンカを埋設できるようにすることが望まれていた。
【０００８】
そこで、本発明は、上記要望に応えるためになされたものであって、その目的は、硬質の地盤であっても、また、地面が法面であっても容易に地中アンカを埋設できる地中アンカの埋設方法を提供することにある。
【０００９】
【課題を解決するための手段】
本発明に係る地中アンカの埋設方法は、上記目的を達成するために、地中アンカを埋設しようとする位置に、先端に超硬チップを有する工具を用いて位置決め用穴をあける工程と、あけられた位置決め用穴に小口径ダウンザホールハンマ等のハンマで前記地中アンカが埋設できる深さを有し、かつ、その地中アンカの螺旋状の掘削刃の外径よりも僅かに小さい内径の下穴をあける工程と、あけられた下穴に、先端側に螺旋状の掘削刃を有する地中アンカを穴掘建柱車等の回転機械を用いて回転しながら押圧して嵌入する工程とからなることを特徴としている。
【００１０】
【発明の実施の形態】
以下、本発明の実施の形態を図面に基づいて説明する。図１は、一実施の形態に係るアンカ埋設方法を示すフローシートである。図中、Ｇは、アンカＡの埋設される地面であり、ここでは岩盤からなる法面として示されている。以下、フローシートの示される順序に従って説明する。
【００１１】
（ａ）位置決め用穴あけ工程
地面Ｇの地中アンカ１の埋設位置に先端に超硬チップを有する工具１０を用いて位置決め用の穴Ｈ1 があけられる。この工具１０は、本出願人が先に、特願２００２−１８４２０号で提案したもので、所定の長さを有する棒状体１１の一端部に図示しない穴掘建柱車の回転部Ｍ1 に着脱自在に装着される装着部１２を設けるとともに、その棒状体１１の他端部を鋭角に形成し、その鋭角に形成された箇所に上述の超硬チップが設けられて構成されている。
【００１２】
この工具１０を用いた位置決め用穴Ｈ1 は、工具１０を地面Ｇに対して押圧しながら回転させることにより容易にあけることができる。あけられる位置決め用穴Ｈ1 の深さは数十ｃｍ、例えば２０〜４０ｃｍで、その穴径は、後述の小口径ダウンザホールハンマ２０の先端が挿入できる大きさである。
【００１３】
（ｂ）下穴あけ工程
工具１０で位置決め用穴Ｈ1 があけられた後、その穴Ｈ1 に小口径ダウンザホールハンマ２０の先端を挿入して地中アンカ１を嵌入するための下穴（前穴）があけられる。ここで用いられる小口径ダウンザホールハンマは、周知の岩盤に穴をあけるエアハンマである。この小口径ダウンザホールハンマ２０による下穴Ｈ2 の穴あけは、上記回転部Ｍ1 の先端に小口径ダウンザホールハンマ２０の駆動部２１を接続し、その駆動部２１に図示しない圧縮空気源から圧縮空気を供給するとともに、回転部Ｍ1 で回転力を加えることにより行われる。
【００１４】
この小口径ダウンザホールハンマ２０であけられる下穴Ｈ2 の深さは、地中アンカ１の長さとほぼ同じで、その穴径は、地中アンカに設けられている螺旋状の掘削刃２ａ〜２ｄ（上記図２参照）のうちの最も大径の掘削刃２ｄよりも少し小さくあけられる。ここで使用される小口径ダウンザホールハンマ２０は、圧縮空気源で駆動される市販のハンマである。岩盤に小径の穴をあけることができるハンマであれば、他の形式のハンマであってもよい。
【００１５】
（ｃ）地中アンカ嵌入工程
小口径ダウンザホールハンマ２０であけられた下穴Ｈ2 に地中アンカ１が嵌入される。この地中アンカ１は、図２に示すものと同じであり、鋳鉄製からなり、先細りの軸部の周囲に螺旋状掘削刃２ａ〜２ｄが所定の間隔を保って複数個（図示の例では４個）設けられている。これら掘削刃２ａ〜２ｄは、上部側（回転部Ｍ1 に接続される側）が大きくなるように決められている。そして、その軸部の上部側には、フランジが設けられているとともに、そのフランジの上側中央部には、アンカ１を穴掘建柱車の回転部Ｍ1 に接続するための角柱部５が設けられている。この地中アンカ１の角柱部５には、図示しない支線棒イ（後述の（ｄ）参照）が取付けられ、その支線棒イを内部に格納できる円筒状の工具（図示せず）を介して地中アンカ１が回転部Ｍ1 により押圧されながら回転させられると、地中アンカ１は、地面Ｇ中に嵌入される。地中アンカ１の嵌入深さは、下穴Ｈ2 の深さによって決められるが、少なくとも最も大径の螺旋状の掘削刃２ｄが地中内になるように、好ましくは、つば部４の位置が地面Ｇの表面位置以下となるように嵌入される。
【００１６】
（ｄ）支線取付工程
下穴Ｈ2 に地中アンカ１の嵌入が終了すると、支線棒イの上部に支線（図示せず）が取付けられる。
【００１７】
【発明の効果】
請求項１の発明による地中アンカの埋設方法は、地中アンカを埋設しようとする位置に、先端に超硬チップを有する工具を用いて位置決め用穴をあける工程と、あけられた位置決め用穴に小口径ダウンザホールハンマ等のハンマで前記地中アンカが埋設できる深さを有し、かつ、その地中アンカの螺旋状の掘削刃の外径よりも僅かに小さい内径の下穴をあける工程と、あけられた下穴に、先端側に螺旋状の掘削刃を有する地中アンカを穴掘建柱車等の回転機械を用いて回転しながら押圧して嵌入する工程とからなるので、地盤が岩盤等の硬質地盤でも地中アンカを容易に埋設することができる。
【図面の簡単な説明】
【図１】  本発明の一実施の形態に係る地中アンカの埋設方法を実施するときの工程を示したフローシートである。
【図２】  （ａ）は先の提案に係る地中アンカの正面図、（ｂ）はその上面図である。
【符号の説明】
１    地中アンカ
１ａ  軸部
２ａ〜２ｄ  螺旋状の掘削刃
３    ドリル部
４    つば部
５    角柱部
６    取付部
１０  工具
２０  小口径ダウンザホールハンマ
【図１】
0004101090.tif 000002
【図２】
0004101090.tif 000003